(57)【要約】【課題】  加熱後に主食品に調味液をかけるという作業を行う必要をなくし、手が汚れたり火傷をしたりすることを防ぐことのできる電子レンジ加熱用容器及び電子レンジ加熱用食品を提供する。さらに、調味液を主食品にかけるタイミング（食する直前や加熱中等）を調整することができ、且つ調味液を一旦取り外す手間がかかる、調味液を温めることができないという問題も生じない電子レンジ加熱用容器及び電子レンジ加熱用食品を提供する。【解決手段】  主食品と主食品にかけるための調味液を別々に収容する電子レンジ加熱用容器であって、前記主食品が収容される容器本体と、該容器本体上部に支持され調味液が封入された袋体が収容されるトレーを備え、該トレーは前記調味液を通過させるための貫通孔を有し、前記袋体は内部が所定の圧力に達したときに一部が開口し内部の調味液を前記袋体外部に流出させる開口機構を有することを特徴とする電子レンジ加熱用容器である。【選択図】図１
2010018327.tif 000002
【特許請求の範囲】
【請求項１】
主食品と主食品にかけるための調味液を別々に収容する電子レンジ加熱用容器であって、
前記主食品が収容される容器本体と、
該容器本体上部に支持され調味液が封入された袋体が収容されるトレーを備え、
該トレーは前記調味液を通過させるための貫通孔を有し、
前記袋体は内部が所定の圧力に達したときに一部が開口し内部の調味液を前記袋体外部に流出させる開口機構を有することを特徴とする電子レンジ加熱用容器。
【請求項２】
前記トレーの周辺部に指を引っ掛けるための凹部を有していることを特徴とする請求項１記載の電子レンジ加熱用容器。
【請求項３】
前記容器本体の上端周縁部に蓋が被着されており、
前記容器本体内部の圧力が上昇して大気圧以上の所定値を超えたときに、前記蓋の一部を開口させることによって前記容器本体内部の圧力を外部に逃がして圧力を低下させる圧力解放機構を有することを特徴とする請求項１又は２記載の電子レンジ加熱用容器。
【請求項４】
前記袋が上面と下面を形成する一対のシート部材の周縁部をシールしてなり、
前記開口機構が前記周縁部の内方において前記上面及び下面シートを所定形状に接着して形成される圧力負荷部からなり、
該圧力負荷部は、前記周縁部から間隔をあけて形成されるとともに、該周縁部と同じ接着強度で接着されていることを特徴とする請求項１乃至３いずれか記載の電子レンジ加熱用容器。
【請求項５】
前記袋が上面と下面を形成する一対のシート部材の周縁部をシールしてなり、
前記開口機構が前記周縁部の内方において前記上面及び下面シートを所定形状に接着して形成される圧力負荷部からなり、
該圧力負荷部は、前記周縁部から間隔をあけて形成されるとともに、その接着強度が上面シートの引っ張り強度より強く、且つ前記周縁部の接着強度以下に設定されていることを特徴とする請求項１乃至３いずれか記載の電子レンジ加熱用容器。
【請求項６】
前記袋が上面と下面を形成する一対のシート部材の周縁部をシールしてなり、
前記開口機構が前記周縁部の内方において前記上面及び下面シートを所定形状に接着して形成される圧力負荷部からなり、
該圧力負荷部は、前記周縁部を一辺として袋体内方に向けて形成された多角形状とされるとともに、該多角形状の全面に亘って接着されていることを特徴とする請求項１乃至３いずれか記載の電子レンジ加熱用容器。
【請求項７】
前記開口機構が前記袋体の一部に設けられた切り込みからなることを特徴とする請求項１乃至３いずれか記載の電子レンジ加熱用容器。
【請求項８】
請求項１乃至７いずれか記載の電子レンジ加熱用容器に主食品及び調味液が収容された電子レンジ加熱用食品。
【発明の詳細な説明】
【技術分野】
【０００１】
本発明は主食品と調味液を個別に収容することができる電子レンジ加熱用容器及び電子レンジ加熱用食品に関する。
【背景技術】
【０００２】
電子レンジで加熱する電子レンジ加熱用食品としては、米飯や麺類等の主食品に、調味液（例えば、丼のタレやパスタのソース）をかけた食品がある。
これらの食品は、例えば、容器中に凍結した主食品を収容し、主食品の直上に凍結した調味液を載置して包装されていた。しかしながら、このような凍結した主食品及び調味液を電子レンジで解凍すると、解凍された調味液が徐々に米飯中にしみ込むことになる。そのため、食べる直前に調味液をかけるのが好ましい料理等（例えば、煮込まないほうがよい料理）には不向きであるという問題を有していた。
また、電子レンジによる加熱前に主食品と調味液が混ざらないように、調味液を凍結する必要があり、製造や保管のコストが高くなるという問題もあった。
【０００３】
このような現状に鑑み、例えば下記特許文献１乃至３において、容器本体と、容器本体に支持されたトレーからなる電子レンジ加熱用容器が開示されている。
これらの電子レンジ加熱用容器では、容器本体に米飯や麺類等の主食品を収容し、トレーに主食品にかける調味液を収容している。そして、主食品と調味液とを分離して収容した状態で、容器を電子レンジで加熱し、加熱後、調味液を主食品にかけて食する。
【０００４】
主食品と調味液を分離して収容することにより、加熱が終了した時点では、主食品には調味液がかかっておらず、食する直前に調味液をかけるのが好ましい料理等に好適に利用することができる。さらに、調味液を凍結しなくても、電子レンジ加熱前に主食品と調味液が混ざることがないので、凍結による製造や保管のコストも必要ない。
【０００５】
しかし、特許文献１乃至３に記載の電子レンジ加熱用容器では、食べる直前に調味液をかけるため、加熱中に調味液をかけたほうがよい料理等（例えば、煮込み料理）には不向きである。
さらに、加熱後に主食品に調味液をかけるという作業を行わなければならないため、調味液が手について、手が汚れる可能性がある。
また、加熱後の食品は高温となっているため、このような作業を行うことは火傷の原因となる。特に、液体である調味液は高温になりやすく、またこぼれやすいため、危険性が高い。
【０００６】
また、調味液を袋に封入することにより、主食品と調味液を分離して収容した食品も存在している。このような食品では、電子レンジ加熱前に調味液を取り出し、主食品のみを加熱する必要がある。袋に封入されている調味液を加熱すると、袋内部の調味液が気化・膨張し、袋が破裂してしまうからである。そのため、調味液を一旦取り出す手間がかかる。また、食する際には袋から調味液を取り出さなければならず、手が汚れる可能性もある。加えて、調味液を温めることができないという問題も有する。
【０００７】
【特許文献１】登録実用新案第３０８３２１５号公報
【特許文献２】特開平６−１２５７５５号公報
【特許文献３】特開平８−２２８７４０号公報
【発明の開示】
【発明が解決しようとする課題】
【０００８】
本発明は上記現状に鑑みてなされたものであり、加熱後に主食品に調味液をかけるという作業を行う必要をなくし、手が汚れたり火傷をしたりすることを防ぐことのできる電子レンジ加熱用容器及び電子レンジ加熱用食品を提供することを解決課題とする。さらに、調味液を主食品にかけるタイミング（食する直前や加熱中等）を調整することができ、且つ調味液を一旦取り外す手間がかかる、調味液を温めることができないという問題も生じない電子レンジ加熱用容器及び電子レンジ加熱用食品を提供することも解決課題とする。
【課題を解決するための手段】
【０００９】
請求項１に係る発明は、主食品と主食品にかけるための調味液を別々に収容する電子レンジ加熱用容器であって、前記主食品が収容される容器本体と、該容器本体上部に支持され調味液が封入された袋体が収容されるトレーを備え、該トレーは前記調味液を通過させるための貫通孔を有し、前記袋体は内部が所定の圧力に達したときに一部が開口し内部の調味液を前記袋体外部に流出させる開口機構を有することを特徴とする電子レンジ加熱用容器に関する。
【００１０】
請求項２に係る発明は、前記トレーの周辺部に指を引っ掛けるための凹部を有していることを特徴とする請求項１記載の電子レンジ加熱用容器に関する。
【００１１】
請求項３に係る発明は、前記容器本体の上端周縁部に蓋が被着されており、前記容器本体内部の圧力が上昇して大気圧以上の所定値を超えたときに、前記蓋の一部を開口させることによって前記容器本体内部の圧力を外部に逃がして圧力を低下させる圧力解放機構を有することを特徴とする請求項１又は２記載の電子レンジ加熱用容器に関する。
【００１２】
請求項４に係る発明は、前記袋が上面と下面を形成する一対のシート部材の周縁部をシールしてなり、前記開口機構が前記周縁部の内方において前記上面及び下面シートを所定形状に接着して形成される圧力負荷部からなり、該圧力負荷部は、前記周縁部から間隔をあけて形成されるとともに、該周縁部と同じ接着強度で接着されていることを特徴とする請求項１乃至３いずれか記載の電子レンジ加熱用容器に関する。
【００１３】
請求項５に係る発明は、前記袋が上面と下面を形成する一対のシート部材の周縁部をシールしてなり、前記開口機構が前記周縁部の内方において前記上面及び下面シートを所定形状に接着して形成される圧力負荷部からなり、該圧力負荷部は、前記周縁部から間隔をあけて形成されるとともに、その接着強度が上面シートの引っ張り強度より強く、且つ前記周縁部の接着強度以下に設定されていることを特徴とする請求項１乃至３いずれか記載の電子レンジ加熱用容器に関する。
【００１４】
請求項６に係る発明は、前記袋が上面と下面を形成する一対のシート部材の周縁部をシールしてなり、前記開口機構が前記周縁部の内方において前記上面及び下面シートを所定形状に接着して形成される圧力負荷部からなり、該圧力負荷部は、前記周縁部を一辺として袋体内方に向けて形成された多角形状とされるとともに、該多角形状の全面に亘って接着されていることを特徴とする請求項１乃至３いずれか記載の電子レンジ加熱用容器に関する。
【００１５】
請求項７に係る発明は、前記開口機構が前記袋体の一部に設けられた切り込みからなることを特徴とする請求項１乃至３いずれか記載の電子レンジ加熱用容器に関する。
【００１６】
請求項８に係る発明は、請求項１乃至７いずれか記載の電子レンジ加熱用容器に主食品及び調味液が収容された電子レンジ加熱用食品に関する。
【発明の効果】
【００１７】
請求項１に係る発明によれば、主食品と主食品にかけるための調味液を別々に収容する電子レンジ加熱用容器であって、前記主食品が収容される容器本体と、該容器本体上部に支持され調味液が封入された袋体が収容されるトレーを備え、該トレーは前記調味液を通過させるための貫通孔を有し、前記袋体は内部が所定の圧力に達したときに一部が開口し内部の調味液を前記袋体外部に流出させる開口機構を有することにより、加熱によって調味液が袋体外部に流出し、貫通孔を通過して主食品にかけられることとなる。そのため、加熱後、主食品に調味液をかけるという作業を行う必要がなく、手が汚れたり火傷をしたりすることを防ぐことができる。
また、袋体の一部が開口する際の袋体内部の圧力を調整することにより、調味液を袋体外部に流出させるタイミングを調整することができる。それにより、調味液を主食品にかけるタイミングも調整することができる。
さらに、調味液を袋体に封入された状態で加熱するため、袋体を容器本体から一旦取り出す手間もかからず、且つ調味液を温めることもできる。
【００１８】
請求項２に係る発明によれば、前記トレーの周辺部に指を引っ掛けるための凹部を有していることにより、トレーを容易に取り外すことができる。
【００１９】
請求項３に係る発明によれば、前記容器本体の上端周縁部に蓋が被着されており、前記容器本体内部の圧力が上昇して大気圧以上の所定値を超えたときに、前記蓋の一部を開口させることによって前記容器本体内部の圧力を外部に逃がして圧力を低下させる圧力解放機構を有することにより、加熱に伴う容器本体内部の圧力上昇で容器本体が破損して、主食品や調味液が容器本体外部に飛び散ることを防ぐことができる。
【００２０】
請求項４に係る発明によれば、前記袋が上面と下面を形成する一対のシート部材の周縁部をシールしてなり、前記開口機構が前記周縁部の内方において前記上面及び下面シートを所定形状に接着して形成される圧力負荷部からなり、該圧力負荷部は、前記周縁部から間隔をあけて形成されるとともに、該周縁部と同じ接着強度で接着されていることにより、圧力負荷部の接着部において材料破壊が発生するとともに前記圧力集中部分に最も近い周縁部の接着部において材料破壊が発生し開口部が形成される。そして、開口部から調味液を流出させることができる。
【００２１】
請求項５に係る発明によれば、前記袋が上面と下面を形成する一対のシート部材の周縁部をシールしてなり、前記開口機構が前記周縁部の内方において前記上面及び下面シートを所定形状に接着して形成される圧力負荷部からなり、該圧力負荷部は、前記周縁部から間隔をあけて形成されるとともに、その接着強度が上面シートの引っ張り強度より強く、且つ前記周縁部の接着強度以下に設定されていることにより、圧力負荷部の周縁部の上面シートにおいて材料破壊が発生し、圧力負荷部と略同一形状の開口部を形成することができる。そして、開口部から調味液を流出させることができる。
【００２２】
請求項６に係る発明によれば、前記袋が上面と下面を形成する一対のシート部材の周縁部をシールしてなり、前記開口機構が前記周縁部の内方において前記上面及び下面シートを所定形状に接着して形成される圧力負荷部からなり、該圧力負荷部は、前記周縁部を一辺として袋体内方に向けて形成された多角形状とされるとともに、該多角形状の全面に亘って接着されていることにより、多角形の周縁部に接していない頂点部に圧力を集中させることができる。それにより周縁部に接していない頂点部から材料破壊を発生させ、袋体を開口させることができる。そして、開口部から調味液を流出させることができる。
【００２３】
請求項７に係る発明によれば、前記開口機構が前記袋体の一部に設けられた切り込みからなることにより、切り込みから袋体を開口させ、調味液を流出させることができる。
【００２４】
請求項８に係る発明によれば、請求項１乃至７いずれか記載の電子レンジ加熱用容器に主食品及び調味液が収容された電子レンジ加熱用食品であることにより、加熱終了時点で既に主食品に調味液がかけられているので、加熱後、主食品に調味液をかけるという作業を行う必要がなく、手が汚れたり火傷をしたりすることを防ぐことができる。
また、袋体の一部が開口する際の袋体内部の圧力を調整することにより、調味液を袋体外部に流出させるタイミングを調整することができる。それにより、調味液を主食品にかけるタイミングも調整することができる。
さらに、調味液を袋体に封入された状態で加熱するため、袋体を容器本体から一旦取り出す手間もかからず、且つ調味液を温めることもできる。
【発明を実施するための最良の形態】
【００２５】
以下、図面を参照しつつ、本発明に係る電子レンジ加熱用容器及び電子レンジ加熱用食品について説明する。
図１は、本発明の実施形態に係る電子レンジ加熱用容器（１００）に主食品（Ｆ）及び調味液（Ｓ）を収容した電子レンジ加熱用食品を示す概略図である。
図２は本発明の実施形態に係る電子レンジ加熱用容器（１００）の容器本体（１）及びトレー（２）を示した図であり、（ａ）は正面図、（ｂ）は上面図である。
図３は本発明の実施形態に係る電子レンジ加熱用容器（１００）の容器本体（１）を示した図であり、（ａ）は正面図、（ｂ）は上面図である。
図４は本発明の実施形態に係る電子レンジ加熱用容器（１００）のトレー（２）を示した図であり、（ａ）は正面図、（ｂ）は上面図である。
図５は本発明の実施形態に係る電子レンジ加熱用容器（１００）における容器本体（１）と蓋（３）の接着部分（３２）を示す図であり、図１上方向から見た図である。
【００２６】
本実施形態に係る電子レンジ加熱用容器（１００）は、図１に示すように、主食品（Ｆ）が収容される容器本体（１）と、主食品（Ｆ）にかけるための調味液（Ｓ）が袋体（４）内に封入された状態で収容されるトレー（２）を有しており、容器本体（１）上端周縁部にフィルム状の蓋（３）が被着されている。
【００２７】
主食品（Ｆ）としては、米飯や麺類等を挙げることができる。調味液（Ｓ）としては、丼物（例えば、親子丼）のタレやパスタにかけるソース等を挙げることができる。また、主食品（Ｆ）が米飯とフライ等二種以上の具材からなるものでもよい。
また、その他の主食品と調味液の組み合わせとしては、すき焼き（主食品：すき焼きの具、調味液：すき焼きの汁）、魚の煮つけ（主食品：魚、調味液：煮汁）、八宝菜（主食品：八宝菜の具、調味液：八宝菜のタレ）等を挙げることができる。
また、調味液（Ｓ）は具入りのものでもよい。
【００２８】
容器本体（１）は、上面が開放された箱状である。
容器本体（１）には、図３で示すように、内側側面から外方に突出した凸部（１１）が形成されている。具体的には、三つの凸部（１１）を一組として、各側面に三組ずつ計三十六個形成されている。
凸部（１１）を有することにより、容器本体（１）の強度を向上させることができる。
また、凸部（１１）を有することにより、主食品（Ｆ）と容器本体（１）の接する面積が少なくなり、主食品（Ｆ）が容器本体（１）に付着しにくくなる。特に、主食品（Ｆ）が米飯や麺類等の場合は粘りが大きいため、凸部（１１）を設ける効果が顕著に生じる。
【００２９】
また、容器本体（１）の側面上部には段差（１２）が設けられている。段差（１２）は、トレー（２）を係止するためのものである。
【００３０】
トレー（２）は容器本体（１）上部に支持されている。具体的には、トレー（２）の周辺端部に設けられた係止部（２１）を、容器本体（１）の段差（１２）に係止することで、トレー（２）が容器本体（１）上部に支持されている。
このとき、トレー（２）が容器本体（１）に支持された状態で主食品（Ｆ）に接触しない程度の高さになるように、段差（１２）の位置（容器本体の底面からの高さ）及びトレー（２）の深さを設定することが好ましい。トレー（２）が主食品（Ｆ）に接触すると、後述するトレー（２）の貫通孔（２２）を主食品（Ｆ）が塞いでしまい、調味液（Ｓ）を主食品（Ｆ）にかけることができないからである。
【００３１】
トレー（２）に収容された袋体（４）（調味液（Ｓ）が封入された袋体（４））は、内部が所定の圧力に達したときに袋体（４）の一部を開口するための開口機構を有する。そして、開口機構により開口した部分（以下、開口部と称す）から、内部の調味液（Ｆ１）を袋体（４）外部に流出するよう設計されている。
開口機構は、圧力負荷部や切り込みを設けることによって形成することができる。開口機構の具体例については後に詳述する。
また、開口する部分の大きさについては特に限定されず、調味液（Ｓ）を流出させることができるだけの大きさであればよい。調味液（Ｓ）に具材等が入っている場合は、調味液（Ｓ）中の具材も袋体（４）外部に流出するよう、開口部を具材より大きくする必要がある。
袋体（４）が開口される際の袋体（４）内部の圧力は特に限定されるものではないが、１〜１．５atmが好ましく、１．２〜１．３atmがさらに好ましい。開口される際の圧力は、後述する圧力負荷部や切り込みの形成方法によって適宜設定することができる。
また、袋体（４）が開口される際の袋体（４）内部の圧力を調整することにより、袋体（４）が開口するタイミング（加熱開始から開口するまでの時間）を調整することができる。つまり、袋体（４）から流出した調味液（Ｓ）を主食品（Ｆ）にかけるタイミングを電子レンジ加熱用食品の種類に応じて調整することができる。
袋体（４）を開口するタイミング（調味液（Ｓ）を主食品（Ｆ）にかけるタイミング）については、例えば、煮込んでから食したほうが良い料理の場合、開口から加熱終了までの時間を長くするように調整すればよいし、かけた直後に食したほうが良い料理の場合は、加熱終了直前に開口するように調整すればよい。袋体（４）が開口するタイミングの調整方法については、袋体（４）の実施形態の説明とともに後述する。
【００３２】
また、トレー（２）の底部には、図４で示すように、貫通孔（２２）が設けられている。貫通孔（２２）を有することにより、袋体（４）から流出された調味液（Ｓ）が貫通孔（２２）を通ってトレー（２）の下側に流下し、主食品（Ｆ）上にかけられる。つまり、電子レンジで加熱している間に、調味液（Ｓ）が主食品（Ｆ）にかけられることとなる。そのため、電子レンジで加熱した後、食する際に調味液（Ｓ）を主食品（Ｆ）にかける必要がなく、手が汚れたり火傷をしたりすることを防ぐことができる。
本実施形態では、縦横三個ずつの計九個の貫通孔（２２）が設けられているが、貫通孔（２２）の数や配置等は特に限定されず、袋体（４）における開口部の位置等によって適宜設定すればよい。
また、袋体（４）をトレー（２）に固定し、開口部の位置近傍に貫通孔（２２）を設けてもよい。それにより、開口部から流出した調味液（Ｓ）が確実に貫通孔（２２）を通過するようにすることができる。
【００３３】
貫通孔（２２）の大きさも特に限定されず、調味液（Ｓ）が通過できる大きさであればよい。調味液（Ｓ）に具材等が入っている場合は、調味液（Ｓ）中の具材も通過するように貫通孔（２２）の大きさを設定する必要がある。
また、トレー（４）には貫通孔（２２）に向けて低くなるよう傾斜を設けてもよい。これにより、調味液（Ｓ）が貫通孔（２２）へ流れやすくなるので、調味液（Ｓ）を主食品（Ｆ）に確実にかけることができる。
【００３４】
トレー（２）は周辺部に指を引っ掛けるための凹部（２３）を有している。凹部（２３）を有することにより、凹部（２３）に指を引っ掛けて、トレー（２）を容易に取り外すことができる。
また、主食品（Ｆ）や調味液（Ｓ）から発生した蒸気は、凹部（２３）を有することにより、凹部（２３）を通過してトレー（２）下方から上方（又は上方から下方）へ移動する。貫通孔（２２）は調味液（Ｓ）が通過するため蒸気が通過しにくいが、蒸気は凹部（２３）を通過するので、容器本体（１）内の対流を促進させることができる。それにより、容器本体（１）内の食品の加熱斑を低減させることができる。さらに、トレー（２）下方が飽和状態となり、調味液（Ｓ）が下方へ流れにくくなることを防ぐことができる。そのため、調味液（Ｓ）を主食品（Ｆ）に確実にかけることができる。
【００３５】
フィルム状の蓋（３）は容器本体（１）の上端周縁部に被着されており、容器本体（１）の内部を密閉するためのものである。
また、蓋（３）には、圧力解放機構（３１）が設けられている。
圧力解放機構（３１）は、容器本体（１）内部の圧力が上昇して大気圧以上の所定値を超えたときに、蓋（３）の一部を開口させることによって容器本体（１）内部の圧力を外部に逃がして圧力を低下させる、又は一定に保つためのものである。
圧力解放機構（３１）が設けられていることにより、主食品（Ｆ）や調味液（Ｓ）中の水分が気化・膨張し、容器本体（１）内部の圧力が上昇することで容器本体（１）の一部が破損して、主食品（Ｆ）や調味液（Ｓ）が外部に飛び散ることを防ぐことができる。
圧力解放機構（３１）としては、例えば、図５（ａ）に示すように、容器本体（１）と蓋（３）の接着部分（３２）に接着部分（３２）より剥離が容易なテープ（３１１）を介在させたり、図５（ｂ）に示すように蓋（３）上面に切り込み（３１２）を入れたりする方法を挙げることができる。
なお、圧力解放機構（３１）としてはこれらに限定されず、他の周知の技術を用いてもよい。
また、本実施形態では蓋（３）に圧力解放機構（３１）を設けたが、圧力解放機構（３１）を設けないものも本発明には含まれる。
【００３６】
また、本実施形態では、主食品（Ｆ）を外気と接触させないように蓋（３）を容器本体（１）の上端周縁部に被着させ、容器本体（１）内部を密閉した状態としているが、主食品（Ｆ）を袋に封入することで主食品（Ｆ）を外気と接触させないようにしてもよい。この場合は、容器本体（１）内部全体を密閉した状態にする必要がない。主食品（Ｆ）を袋に封入する場合は、電子レンジで加熱する前に、主食品（Ｆ）を袋から取り出す必要がある。
また、容器本体（１）全体を袋に封入することによって、主食品（Ｆ）を外気と接触させないようにしてもよい。
さらに、主食品（Ｆ）の種類によっては、主食品（Ｆ）を密閉した状態で保存しなくてもよい。
【００３７】
また、容器本体（１）、トレー（２）、蓋（３）、袋体（４）の材料としては特に限定されないが、熱可塑性樹脂が成形容易性の面から好ましい。熱可塑性樹脂としては、ポリプロピレンやポリエチレン等を挙げることができる。
【００３８】
次いで、袋体（４）の実施形態について説明する。
なお、袋体（４）は下記実施形態に限定されず、内部が所定の圧力に達したときに袋体の一部が開口されることにより、内部の調味液（Ｓ）が袋体（４）外部に流出するよう設計されているものであればよい。
下記実施形態に係る袋体（４）は、一対の上面シート（５１）と下面シート（５２）を、夫々の周縁部（５３）でシールした四角形状のものである。
また、本明細書中において、上面シート（５１）と下面シート（５２）とは、袋体を載置した時の表側を上面、裏側を下面と便宜的に述べたに過ぎず、裏返すことで上下面は逆になる。
【００３９】
まず、袋体（４）の第一実施形態である第一袋体（４１）を説明する。
図６は第一袋体（４１）を示す平面図である。
図７は図６のＡ−Ａ線断面図である。
図８は第一袋体（４１）に開口部（７）が形成された直後の第一袋体（４１）の平面図である。
図９は図８のＡ−Ａ線断面図である。
【００４０】
第一袋体（４１）の開口機構は圧力負荷部（６）を設けることにより形成されている。圧力負荷部（６）は、図６，７で示す如く、上面シート（５１）及び下面シート（５２）の一部を所定形状（本実施形態では円状）となるように接着することで形成されている。
また、圧力負荷部（６）は、周縁部（５３）から所定間隔（ｄ）離れた位置に設けられている。所定間隔（ｄ）は、圧力負荷部（６）から周縁部（５３）までの間隔のうち最短の間隔である。（以下、圧力負荷部（６）と、周縁部（５３）の圧力負荷部（５１）に最も近い部分の間の領域を所定領域（ｄ１）と称す。）
さらに、圧力負荷部（６）の接着強度は周縁部（５３）の接着強度と同じ接着強度で設定されている。
【００４１】
圧力負荷部（６）を設けることにより、加熱時に第一袋体（４１）内部の圧力が所定領域（ｄ１）に集中し、所定領域（ｄ１）付近の圧力が高くなる。
また、圧力負荷部（６）と、圧力負荷部（６）に最も近い周縁部（５３）（周縁部（５３）における所定領域（ｄ１）に接する部分）には同じ強さの圧力がかかる。このとき、圧力負荷部（６）の接着強度は周縁部（５３）の接着強度と同じ接着強度で設定されているため、第一袋体（４１）内部の圧力が所定値に達すると、圧力負荷部（６）の接着部において材料破壊が発生するとともに、周縁部（５３）の圧力負荷部（６）に最も近い部分においても材料破壊が発生し、開口部（７）が形成される（図８，９参照）。
開口部（７）が形成されることにより、袋体（４１）内部の調味液（Ｓ）が第一袋体（４１）外部に流出される。そして、第一袋体（４１）外部に流出した調味液（Ｓ）はトレー（２）の貫通孔（２２）を通過し、主食品（Ｆ）にかけられる。
【００４２】
このとき、圧力負荷部（６）及び周縁部（５３）の接着強度を調整することで、第一袋体（４１）に開口部（７）が形成されるタイミング（加熱開始から開口するまでの時間）を調整することができる。即ち、接着強度を強くすれば開口部（７）が形成されにくくなり、第一袋体（４１）内部の圧力が高くならないと開口部（７）が形成されなくなる。そのため、開口部（７）が形成されるタイミングを遅くすることができる。
逆に、接着強度を弱くすれば開口部（７）が形成されやすくなり、第一袋体（４１）内部の圧力が低くても開口部（７）が形成されることとなる。そのため、開口部（７）が形成されるタイミングを早くすることができる。
開口部（７）が形成されるタイミングを調整することにより、調味液（Ｓ）を主食品（Ｆ）にかけるタイミングを調整することができる。
【００４３】
また、圧力負荷部（６）の幅（６１）（開口部（７）が形成される辺と平行な方向の長さ）と開口部（７）の大きさ（正確には開口部（７）の幅（７１）の大きさ）は比例関係を有しているので、圧力負荷部（６）の幅（６１）を大きくすれば、開口部（７）も大きくなる。
また、圧力負荷部（６）と周縁部（５３）間の所定間隔（ｄ）が長くなると、形成される開口部（７）の大きさは小さくなる。
つまり、圧力負荷部（６）の幅（６１）の大きさ及び圧力負荷部（６）と周縁部（５３）間の所定間隔（ｄ）の長さを調節することによって、形成される開口部（７）の大きさを調節することができる。
開口部（７）の大きさは、調味液（Ｆ１）等に応じて適宜設定すればよい。
【００４４】
次いで、袋体の第二実施形態である第二袋体（４２）を説明する。なお、第一袋体（４１）と同様の構成には同様の符号を付している。
図１０は第二袋体（４２）を示す平面図である。
図１１は図１０のＡ−Ａ線断面図である。
図１２は第二袋体（４２）に開口部（７）が形成された直後の第二袋体（４２）の平面図である。
図１３は図１２のＡ−Ａ線断面図である。
【００４５】
第二袋体（４２）の開口機構は、第一袋体（４１）と同様、圧力負荷部（６）を設けることにより形成される。本実施形態の圧力負荷部（６）は、上面シート（５１）及び下面シート（５２）の一部を所定形状となるように接着して形成される。
また、圧力負荷部（６）における上面シート（５１）と下面シート（５２）の接着強度は、周縁部（５３）の接着強度より弱い。この強度差は特に限定されないが、５０Ｎ/１５ｍｍ以下の強度差を有することが好ましい。
さらに、圧力負荷部（６）の接着強度は上面シート（２１）の引っ張り強度よりも強く設定される。
【００４６】
第二袋体（４２）では、第一実施形態の第一袋体（４１）と同様に、圧力が圧力負荷部（６２）の周りに集中し、圧力負荷部（６）の周りの圧力が高くなる。ここで、圧力負荷部（６）の接着強度は上面シート（５１）の引っ張り強度よりも強く設定されているので、第二袋体（４２）内部の圧力が所定圧力に達すると、圧力負荷部（６）の周りの上面シート（５１）にその引っ張り強度より強い圧力が負荷されることとなる。また、図１２，１３に示すように、圧力負荷部（６）の接着強度と周縁部（５３）の接着強度には強度差があるので、圧力負荷部（６）の周りの上面シート（５１）において材料破壊が発生し、圧力負荷部（６）と略同一形状の開口部（７）が上面シート（５１）に形成される。
【００４７】
ここで、第二袋体（４２）では、上面シート（５１）の引っ張り強度を調整することで、開口部（７）が形成されるタイミングを調整することができる。即ち、上面シート（５１）の引っ張り強度を強くすれば開口部（７）が形成されにくくなり、開口部（７）が形成されるタイミングを遅くすることができる。逆に、上面シート（５１）の引っ張り強度を弱くすれば開口部（７）が形成されやすくなり、開口部（７）が形成されるタイミングを早くすることができる。
【００４８】
また、第二袋体（４２）では、圧力負荷部（６）の大きさが大きくなると、形成される開口部（７）の大きさも大きくなる。つまり、圧力負荷部（６）の大きさを調節することによって、形成される開口部（７）の大きさを調節することができる。
【００４９】
次いで、袋体（４）の第三実施形態である第三袋体（４３）について説明する。なお、袋体（４１，４２）と同様の構成には同様の符号を付している。
図１４は、第三袋体（４３）を示す平面図である。
図１５は、図１４のＡ−Ａ線断面図である。
図１６は第三袋体（４３）の開口部（７）が形成された直後の第三袋体（４３）の平面図である。
【００５０】
この第三袋体（４３）の開口機構は、平面視において三角形状の圧力負荷部（６）を設けることにより形成されている。そして、圧力負荷部（６）は、三角形状の一辺が袋体（４３）の一辺に接合するように配置される。
三角形状の圧力負荷部（６）を有することにより、第三袋体（４３）内部の圧力が上昇した時、圧力負荷部（６）にかかる圧力が、袋体（４３）の一辺に接合していない頂点（６１）に集中することになる。そのため、第三袋体（４３）内部の圧力が所定値に達した時、圧力負荷部（６）の接着強度よりも強い圧力が負荷される。そして、図１６で示すように、圧力負荷部（６）の接着部において材料破壊が発生し、この材料破壊に伴って、周縁部（５３）の圧力負荷部（６）が接合した部分においても材料破壊が発生し、開口部（７）が形成される。
【００５１】
第三袋体（４３）では、圧力負荷部（６）の接着強度を調整することで、開口部（７）が形成されるタイミングを調整することができる。即ち、接着強度を強くすれば開口部（７）が形成されにくくなり、開口部（７）が形成されるタイミングを遅くすることができる。逆に、接着強度を弱くすれば開口部（７）が形成されやすくなり、開口部（７）が形成されるタイミングを早くすることができる。
【００５２】
また、圧力負荷部（６）の周縁部（５３）に接する部分の長さが大きくなると、開口部（７）の大きさも大きくなる。つまり、当該長さを調節することによって、形成される開口部（７）の大きさを調節することができる。
【００５３】
また、圧力負荷部（６）は三角形状に限定されるわけでなく、他の多角形状であってもよい。但し、第三袋体（４３）では、図１４，１５に示すように、圧力負荷部（６）の一辺が第三袋体（４３）の一辺に接合するように配置されており、第三袋体（４３）の一辺に接合していない頂点に圧力が集中することとなる。この圧力負荷部（６）が三角形に形成されることによって、圧力が集中する頂点を頂点（６１）一つに特定することができる。圧力が集中する頂点を一つに特定することによって、圧力負荷部（６）の材料破壊が始まる部分も一つに設定できるので、開口部（７）が形成されるタイミングや開口部（７）の大きさを確実に調節することができる。
【００５４】
次いで、袋体の第四実施形態である第四袋体（４４）を説明する。なお、袋体（４１，４２，４３）と同様の構成には同様の符号を付している。
図１７は、第四袋体（４４）を示す平面図である。
図１８は図１７のＡ−Ａ線断面図である。なお、図１８には、切り込み（８）の部分の拡大図も示している。
【００５５】
第四袋体（４４）において、開口機構は切り込み（８）を設けることにより形成される。切り込み（８）は図１８で示すように、上面シート（５１）を貫通しないものである。つまり、切り込み（８）が他の部分より薄くなる。それにより、袋内が所定の圧力に達したとき、切り込み（８）から材料破壊が始まり、開口部（７）が生じる。
また、切り込み（８）の深さ等を調整して、切り込み（８）における材料破壊の生じ易さを調整することで、開口部（７）が形成されるタイミングを調整することができる。
【００５６】
なお、切り込み（８）は図１９に示すように、貫通した切り込みを接着剤（９）で接着したものでもよい。
【００５７】
次いで、電子レンジ加熱用容器（１００）（電子レンジ加熱用食品）を電子レンジで加熱して、電子レンジ加熱用食品を食するまでの工程について説明する。なお、袋体（４）は第一実施形態の第一袋体（４１）を用いた場合を説明する。
図２０は電子レンジ加熱用容器（１００）（電子レンジ加熱用食品）を電子レンジで加熱する工程を示した図である。
【００５８】
まず、図２０（ａ）に示すように、主食品（Ｆ）及び調味液（Ｓ）が収容された電子レンジ加熱用容器（１００）（電子レンジ加熱用食品）を電子レンジで加熱する。
加熱が進むと、第一袋体（４１）内部の圧力が所定の圧力に達する。それにより、第一袋体（４１）に開口部（７）が形成される（図２０（ｂ）参照）。そして、調味液（Ｓ）が第一袋体（４１）の開口部（７）から流出する。
流出した調味液（Ｓ）が貫通孔（２２）を通って流下し、主食品（Ｆ）にかけられる（図２０（ｃ）参照）。
このとき、蓋（３）に圧力解放機構（３１）が設けられている場合は、容器本体（１）内の圧力も調整される。
【００５９】
加熱終了後、電子レンジ加熱用容器（１００）を電子レンジから取り出す。このとき、図２０（ｄ）に示すように、調味液（Ｓ）は第一袋体（４１）から流出し、主食品（Ｆ）にかけられた状態となっている。そのため、袋体（４１）を開封する工程や、調味液（２）を主食品（Ｆ）にかける工程を経る必要がない。
そして、容器本体（１）の上端周縁部に被着させた蓋（３）を剥離し、トレー（３）を取り外す。このように、加熱後は、蓋（４）及びトレー（３）を外すだけで、電子レンジ加熱用食品を食することができる。
【産業上の利用可能性】
【００６０】
本発明は、主食品と調味液を別々に収容する食品に好適に利用することができる。例えば、親子丼等の丼物、パスタ、すき焼き、魚の煮付け、八宝菜等に好適に利用可能である。
【図面の簡単な説明】
【００６１】
【図１】電子レンジ加熱用食品を示す概略図である。
【図２】本発明の実施形態に係る電子レンジ加熱用容器の容器本体及びトレーを示した図である。
【図３】本発明に実施形態に係る電子レンジ加熱用容器の容器本体を示した図である。
【図４】本発明の実施形態に係る電子レンジ加熱用容器のトレーを示した図である。
【図５】本発明の実施形態に係る電子レンジ加熱用容器における容器本体と蓋の接着部分を示す図である。
【図６】第一袋体を示す平面図である。
【図７】図６のＡ−Ａ線断面図である。
【図８】第一袋体に開口部が形成された直後の第一袋体の平面図である。
【図９】図８のＡ−Ａ線断面図である。
【図１０】第二袋体を示す平面図である。
【図１１】図１０のＡ−Ａ線断面図である。
【図１２】第二袋体に開口部が形成した直後の第二袋体の平面図である。
【図１３】図１２のＡ−Ａ線断面図である。
【図１４】第三袋体を示す平面図である。
【図１５】図１４のＡ−Ａ線断面図である。
【図１６】第三袋体の開口部が形成された直後の図である。
【図１７】第四袋体を示す平面図である。
【図１８】図１７のＡ−Ａ線断面図である。
【図１９】切り込み部の他の形態を示す図である。
【図２０】電子レンジ加熱用容器（電子レンジ加熱用食品）を電子レンジで加熱する工程を示した図である。
【符号の説明】
【００６２】
１          容器本体
２          トレー
２２        貫通孔
２３        凹部
３          蓋
４          袋体
４１        第一袋体
４２        第二袋体
４３        第三袋体
４４        第四袋体
６          圧力負荷部
７          開口部
８          切り込み
１００      電子レンジ加熱用容器
ｄ          （圧力負荷部と前記周縁部の）間隔
Ｆ          主食品
Ｓ          調味液
【図１】
2010018327.tif 000003
【図２】
2010018327.tif 000004
【図３】
2010018327.tif 000005
【図４】
2010018327.tif 000006
【図５】
2010018327.tif 000007
【図６】
2010018327.tif 000008
【図７】
2010018327.tif 000009
【図８】
2010018327.tif 000010
【図９】
2010018327.tif 000011
【図１０】
2010018327.tif 000012
【図１１】
2010018327.tif 000013
【図１２】
2010018327.tif 000014
【図１３】
2010018327.tif 000015
【図１４】
2010018327.tif 000016
【図１５】
2010018327.tif 000017
【図１６】
2010018327.tif 000018
【図１７】
2010018327.tif 000019
【図１８】
2010018327.tif 000020
【図１９】
2010018327.tif 000021
【図２０】
2010018327.tif 000022